(57)【特許請求の範囲】
【請求項１】
ネットワークデバイスが第１の下り周波数領域の制御領域において下り制御チャネルを端末デバイスに送信することと、
前記ネットワークデバイスが少なくとも１つの第１の上り周波数領域の制御領域の各前記第１の上り周波数領域の制御領域の第１の上り周波数領域スケジューリングユニットにおいて、前記端末デバイスにより送信された上り制御チャネルを受信することとを含み、
前記下り制御チャネルには第１の構成情報が含まれ、前記第１の構成情報は、前記端末デバイスが上り制御チャネルに使用する前記少なくとも１つの第１の上り周波数領域の制御領域の情報を前記ネットワークデバイスに送信するように動的に指示するために用いられ、
前記第１の上り周波数領域スケジューリングユニットの前記第１の上り周波数領域の制御領域内の周波数領域位置は、前記第１の下り周波数領域の制御領域に基づいて確定されたものであり、
前記下り制御チャネルには第２の構成情報がさらに含まれ、前記第２の構成情報は、少なくとも１つの第１の上り時間領域スケジューリングユニットを示し、
前記ネットワークデバイスが前記少なくとも１つの第１の上り周波数領域の制御領域の各前記第１の上り周波数領域の制御領域の第１の上り周波数領域スケジューリングユニットにおいて、前記端末デバイスにより送信された上り制御チャネルを受信することは、
前記ネットワークデバイスが前記少なくとも１つの第１の上り時間領域スケジューリングユニットの対応する前記第１の上り周波数領域の制御領域内の前記第１の上り周波数領域スケジューリングユニットにおいて、前記端末デバイスにより送信された前記上り制御チャネルを受信することを含み、
前記ネットワークデバイスが第１の下り周波数領域の制御領域において下り制御チャネルを端末デバイスに送信することは、
前記ネットワークデバイスが第１の下り時間領域スケジューリングユニットの前記第１の下り周波数領域の制御領域において、前記端末デバイスに下り制御チャネルを送信することを含み、
前記第２の構成情報は、前記少なくとも１つの第１の上り時間領域スケジューリングユニットの各前記第１の上り周波数領域の制御領域が前記第１の下り時間領域スケジューリングユニットに対するオフセット量の情報を含む
ことを特徴とする上り制御チャネルの伝送方法。
【請求項２】
端末デバイスが第１の下り周波数領域の制御領域において、ネットワークデバイスにより送信された下り制御チャネルを受信することと、
前記端末デバイスが少なくとも１つの第１の上り周波数領域の制御領域の各前記第１の上り周波数領域の制御領域の第１の上り周波数領域スケジューリングユニットにおいて、前記ネットワークデバイスに上り制御チャネルを送信することとを含み、
前記下り制御チャネルには第１の構成情報が含まれ、前記第１の構成情報は、前記端末デバイスが上り制御チャネルに使用する前記少なくとも１つの第１の上り周波数領域の制御領域の情報を前記ネットワークデバイスに送信するように動的に指示するために用いられ、
前記第１の上り周波数領域スケジューリングユニットの前記第１の上り周波数領域の制御領域内の周波数領域位置は、前記第１の下り周波数領域の制御領域に基づいて確定されたものであり、
前記下り制御チャネルには第２の構成情報がさらに含まれ、前記第２の構成情報は、少なくとも１つの第１の上り時間領域スケジューリングユニットを示し、
前記端末デバイスが前記少なくとも１つの第１の上り周波数領域の制御領域の各前記第１の上り周波数領域の制御領域の第１の上り周波数領域スケジューリングユニットにおいて、前記ネットワークデバイスに上り制御チャネルを送信することは、
前記端末デバイスが前記少なくとも１つの第１の上り時間領域スケジューリングユニットの対応する前記第１の上り周波数領域の制御領域内の前記第１の上り周波数領域スケジューリングユニットにおいて、前記ネットワークデバイスに前記上り制御チャネルを送信することを含み、
前記端末デバイスが第１の下り周波数領域の制御領域において、ネットワークデバイスにより送信された下り制御チャネルを受信することは、
前記端末デバイスが第１の下り時間領域スケジューリングユニットの前記第１の下り周波数領域の制御領域において、前記ネットワークデバイスにより送信された下り制御チャネルを受信することを含み、
前記第２の構成情報は、前記少なくとも１つの第１の上り時間領域スケジューリングユニットの各前記第１の上り周波数領域の制御領域が前記第１の下り時間領域スケジューリングユニットに対するオフセット量の情報を含む
ことを特徴とする上り制御チャネルの伝送方法。
【請求項３】
前記第１の上り周波数領域スケジューリングユニットの各前記第１の上り周波数領域の制御領域内の位置は、前記第１の下り周波数領域の制御領域の前記第１の下り時間領域スケジューリングユニット内の周波数領域位置に基づいて確定されたものである
ことを特徴とする請求項２に記載の上り制御チャネルの伝送方法。
【請求項４】
前記第２の構成情報は、Ｎ個の前記第１の上り時間領域スケジューリングユニットを示し、前記第１の構成情報は、Ｎ個の前記第１の上り周波数領域の制御領域を示し、各前記第１の上り周波数領域の制御領域が１つの前記第１の上り時間領域スケジューリングユニット内に位置し、任意の２つの前記第１の上り周波数領域の制御領域が、異なる前記第１の上り時間領域スケジューリングユニットに位置する
ことを特徴とする請求項２又は３に記載の上り制御チャネルの伝送方法。
【請求項５】
任意の２つの前記第１の上り周波数領域の制御領域の対応する前記第１の上り時間領域スケジューリングユニット内の周波数領域位置は、同じである
ことを特徴とする請求項４に記載の上り制御チャネルの伝送方法。
【請求項６】
前記端末デバイスが前記ネットワークデバイスにより送信された第４の構成情報を受信することをさらに含み、
前記第４の構成情報は、前記端末デバイスが使用する可能な周波数領域範囲を示し、前記少なくとも１つの第１の上り周波数領域の制御領域は、前記周波数領域範囲内の上り周波数領域の制御領域である
ことを特徴とする請求項２〜５のいずれか１項に記載の上り制御チャネルの伝送方法。
【請求項７】
前記端末デバイスが前記ネットワークデバイスにより送信された第４の構成情報を受信することは、
前記端末デバイスが上位レイヤのシグナリング、前記下り制御チャネル、ブロードキャストチャネル又はシステム情報ブロックＳＩＢで前記ネットワークデバイスにより送信された前記第４の構成情報を受信することを含む
ことを特徴とする請求項６に記載の上り制御チャネルの伝送方法。
【請求項８】
第１の下り周波数領域の制御領域において、下り制御チャネルを端末デバイスに送信するように構成される送信モジュールと、
前記少なくとも１つの第１の上り周波数領域の制御領域の各前記第１の上り周波数領域の制御領域の第１の上り周波数領域スケジューリングユニットにおいて、前記端末デバイスにより送信された上り制御チャネルを受信するように構成される受信モジュールと、を含み
前記下り制御チャネルには第１の構成情報が含まれ、前記第１の構成情報は、前記端末デバイスが上り制御チャネルに使用する少なくとも１つの第１の上り周波数領域の制御領域の情報を前記ネットワークデバイスに送信するように動的に指示するために用いられ、
前記第１の上り周波数領域スケジューリングユニットの前記第１の上り周波数領域の制御領域内の周波数領域位置は、前記第１の下り周波数領域の制御領域に基づいて確定されたものであり、
前記下り制御チャネルには第２の構成情報がさらに含まれ、前記第２の構成情報は、少なくとも１つの第１の上り時間領域スケジューリングユニットを示し、
前記受信モジュールは、
前記少なくとも１つの第１の上り時間領域スケジューリングユニットの対応する前記第１の上り周波数領域の制御領域内の前記第１の上り周波数領域スケジューリングユニットにおいて、前記端末デバイスにより送信された前記上り制御チャネルを受信するように構成され、
前記送信モジュールは、
第１の下り時間領域スケジューリングユニットの前記第１の下り周波数領域の制御領域において、前記端末デバイスに下り制御チャネルを送信するように構成され、
前記第２の構成情報は、前記少なくとも１つの第１の上り時間領域スケジューリングユニットの各前記第１の上り周波数領域の制御領域が前記第１の下り時間領域スケジューリングユニットに対するオフセット量の情報を含む
ことを特徴とするネットワークデバイス。
【請求項９】
第１の下り周波数領域の制御領域において、ネットワークデバイスにより送信された下り制御チャネルを受信するように構成される受信モジュールと、
少なくとも１つの第１の上り周波数領域の制御領域の各前記第１の上り周波数領域の制御領域の第１の上り周波数領域スケジューリングユニットにおいて、前記ネットワークデバイスに上り制御チャネルを送信するように構成される送信モジュールと、を含み、
前記下り制御チャネルには第１の構成情報が含まれ、前記第１の構成情報は、前記端末デバイスが上り制御チャネルに使用する前記少なくとも１つの第１の上り周波数領域の制御領域の情報を前記ネットワークデバイスに送信するように動的に指示するために用いられ、
前記第１の上り周波数領域スケジューリングユニットの前記第１の上り周波数領域の制御領域内の周波数領域位置は、前記第１の下り周波数領域の制御領域に基づいて確定されたものであり、
前記下り制御チャネルには第２の構成情報がさらに含まれ、前記第２の構成情報は、少なくとも１つの第１の上り時間領域スケジューリングユニットを示し、
前記送信モジュールは、
前記少なくとも１つの第１の上り時間領域スケジューリングユニットの対応する前記第１の上り周波数領域の制御領域内の前記第１の上り周波数領域スケジューリングユニットにおいて、前記ネットワークデバイスに前記上り制御チャネルを送信するように構成され、
前記受信モジュールは、
第１の下り時間領域スケジューリングユニットの前記第１の下り周波数領域の制御領域において、前記ネットワークデバイスにより送信された下り制御チャネルを受信するように構成され、
前記第２の構成情報は、前記少なくとも１つの第１の上り時間領域スケジューリングユニットの各前記第１の上り周波数領域の制御領域が前記第１の下り時間領域スケジューリングユニットに対するオフセット量の情報を含む
ことを特徴とする端末デバイス。
【請求項１０】
前記受信モジュールは、さらに、前記ネットワークデバイスにより送信された第４の構成情報を受信するように構成され、
前記第４の構成情報は、前記端末デバイスが使用する可能な周波数領域範囲を示し、前記少なくとも１つの第１の上り周波数領域の制御領域は、前記周波数領域範囲内の上り周波数領域の制御領域である
ことを特徴とする請求項９に記載の端末デバイス。
【請求項１１】
前記受信モジュールは、
上位レイヤのシグナリング、前記下り制御チャネル、ブロードキャストチャネル又はシステム情報ブロックＳＩＢで前記ネットワークデバイスにより送信された前記第４の構成情報を受信するように構成される
ことを特徴とする請求項１０に記載の端末デバイス。
【発明の詳細な説明】
【技術分野】
【０００１】
本願は、通信分野に関し、具体的に、上り制御チャネルの伝送方法、ネットワークデバイス及び端末デバイスに関する。
【背景技術】
【０００２】
長期進化（ＬＴＥ：Ｌｏｎｇ  Ｔｅｒｍ  Ｅｖｏｌｕｔｉｏｎ）システムにおいて、肯定（ＡＣＫ：ＡＣＫｎｏｗｌｅｄｇｅｍｅｎｔ）/否定（ＮＡＣＫ：Ｎｅｇａｔｉｖｅ  ＡＣＫｎｏｗｌｅｄｇｅｍｅｎｔ）の確認情報又は他の上り制御情報を伝送するための物理上り制御チャネル（ＰＵＣＣＨ：Ｐｈｙｓｉｃａｌ  Ｕｐｌｉｎｋ  Ｃｏｎｔｒｏｌ  ＣＨａｎｎｅｌ）リソースは、物理下り制御チャネル（ＰＤＣＣＨ：Ｐｈｙｓｉｃａｌ  Ｄｏｗｎｌｉｎｋ  Ｃｏｎｔｒｏｌ  ＣＨａｎｎｅｌ、）の位置により暗黙にマッピングされたものである。ある端末デバイスのＰＵＣＣＨを伝送する位置は、当該端末デバイスにリソースをスケジューリングするためのＰＤＣＣＨの１番目の制御チャネル要素（ＣＣＥ：Ｃｏｎｔｒｏｌ  Ｃｈａｎｎｅｌ  Ｅｌｅｍｅｎｔ）により決定され、ここで、各ＣＣＥがＰＵＣＣＨににおいて固定のマッピング位置がそれぞれある。
【０００３】
暗黙マッピング方式でＰＵＣＣＨ伝送のリソースを示すことで、シグナリングオーバーヘッドを節約しているが、当該方式が５Ｇシステムに応用される場合、多くの問題が発生する。まず、５ＧシステムのＰＵＣＣＨが多くのサブバンドに散在され、複数の下りスロットのＰＤＣＣＨが１つの上りスロットのＰＵＣＣＨにマッピングされ、すべてのＰＤＣＣＨリソースが各ＰＵＣＣＨのサブバンドにマッピングされる可能性があるため、各ＰＵＣＣＨのサブバンドにおいて少数のリソースが使用され、この以外の物理上り共有チャネル（ＰＵＳＣＨ：Ｐｈｙｓｉｃａｌ  Ｕｐｌｉｎｋ  Ｓｈａｒｅｄ  ＣＨａｎｎｅｌ）の伝送に使用するための時間周波数リソースがＰＵＣＣＨによりバラのリソースフラグメントに分割され、この場合、ＰＵＳＣＨのスケジューリング複雑さが大幅に大きくなり、リソースの使用効率を下がる。また、暗黙マッピング方式は、周波数の選択性スケジューリングの性能利得を利用しないため、ＰＵＣＣＨの性能に影響を与える。最後、５Ｇシステム内の上り周波数領域リソースが変化してる可能性があるため、ＰＤＣＣＨの伝送に使用するリソースからＰＵＣＣＨの伝送に使用するリソースまでのマッピング関係が変化する可能性があり、従来のマッピング関係は、動的に調整されたリソースマッピングに適用されない。
【０００４】
他の技術案として、ＰＵＣＣＨの伝送に使用する周波数領域リソースがＰＤＣＣＨにより動的にスケジューリングされることを提案する。例えば、無線リソース制御（ＲＲＣ：Ｒａｄｉｏ  Ｒｅｓｏｕｒｃｅ  Ｃｏｎｔｒｏｌ）シグナリング及び／又は下り制御情報（ＤＣＩ：Ｄｏｗｎｌｉｎｋ  Ｃｏｎｔｒｏｌ  Ｉｎｆｏｒｍａｔｉｏｎ）を利用してＰＵＣＣＨのＰＵＣＣＨの伝送に使用する周波数領域リソースを明示的に示す。ＰＵＣＣＨの伝送に使用する周波数領域リソースをＰＤＣＣＨで動的にスケジューリングする方式は、周波数の選択性スケジューリングを利用してＰＵＣＣＨリンク性能を改善し、上りリソースの利用効率を向上させるが、完全の動的なスケジューリングは、ネットワークデバイスの実現の複雑さが大きくなり、シグナリングオーバーヘッドが大きくなるという課題を引き起こす。
【発明の概要】
【０００５】
本願は、スケジューリングの複雑さを低減させ、シグナリングオーバーヘッドが小さくなることができる上り制御チャネルの伝送方法、ネットワークデバイス及び端末デバイスを提供する。
【０００６】
第１の形態は、上り制御チャネルの伝送方法を提供し、ネットワークデバイスが第１の下り周波数領域の制御領域において下り制御チャネルを端末デバイスに送信することと、ネットワークデバイスが前記少なくとも１つの第１の上り周波数領域の制御領域の各前記第１の上り周波数領域の制御領域の第１の上り周波数領域スケジューリングユニットにおいて、前記端末デバイスにより送信された上り制御チャネルを受信することとを含み、前記下り制御チャネルには第１の構成情報が含まれ、前記第１の構成情報は、前記端末デバイスが上り制御チャネルに使用する少なくとも１つの第１の上り周波数領域の制御領域を前記ネットワークデバイスに送信するように動的に指示するために用いられ、前記第１の上り周波数領域スケジューリングユニットの前記第１の上り周波数領域の制御領域内の周波数領域位置は、前記第１の下り周波数領域の制御領域に基づいて確定されたものである。
【０００７】
第１の形態における上り制御チャネルの伝送方法は、第１の構成情報で上り周波数領域の制御領域を指示し、下り周波数領域の制御領域の位置に基づいて、上り制御チャネルを伝送するための上り周波数領域スケジューリングユニットの上り周波数領域の制御領域内の位置を確定し、動的なスケジューリングと暗黙指示との組合せ方式を採用して、上り制御チャネルを伝送する周波数領域リソースを確定することで、ＰＵＳＣＨのスケジューリング複雑さを低減させ、シグナリングオーバーヘッドが小さくなり、ネットワークデバイスのスケジューリング複雑さが低くなる。
【０００８】
第１の形態の実現可能な方式において、前記下り制御チャネルには第２の構成情報がさらに含まれ、前記第２の構成情報は、少なくとも１つの第１の上り時間領域スケジューリングユニットを示し、前記ネットワークデバイスが前記少なくとも１つの第１の上り周波数領域の制御領域の各前記第１の上り周波数領域の制御領域の第１の上り周波数領域スケジューリングユニットにおいて、前記端末デバイスにより送信された上り制御チャネルを受信することは、前記ネットワークデバイスが前記少なくとも１つの第１の上り時間領域スケジューリングユニットの対応する前記第１の上り周波数領域の制御領域内の前記第１の上り周波数領域スケジューリングユニットにおいて、前記端末デバイスにより送信された前記上り制御チャネルを受信することを含む。
【０００９】
第１の形態の実現可能な方式において、前記ネットワークデバイスが第１の下り周波数領域の制御領域において下り制御チャネルを端末デバイスに送信することは、前記ネットワークデバイスが第１の下り時間領域スケジューリングユニットの前記第１の下り周波数領域の制御領域において、前記端末デバイスに下り制御チャネルを送信することを含み、前記第２の構成情報は、前記少なくとも１つの第１の上り時間領域スケジューリングユニットの各前記第１の上り周波数領域の制御領域が前記第１の下り時間領域スケジューリングユニットに対するオフセット量の情報を含む。
【００１０】
第１の形態の実現可能な方式において、前記第１の上り周波数領域スケジューリングユニットの各前記第１の上り周波数領域の制御領域内の位置は、前記第１の下り周波数領域の制御領域の前記第１の下り時間領域スケジューリングユニット内の周波数領域位置に基づいて確定されたものである。
【００１１】
第１の形態の実現可能な方式において、前記第２の構成情報は、Ｎ個の前記第１の上り時間領域スケジューリングユニットを示し、前記第１の構成情報は、Ｎ個の前記第１の上り周波数領域の制御領域を示し、各前記第１の上り周波数領域の制御領域が１つの前記第１の上り時間領域スケジューリングユニット内に位置し、任意の２つの前記第１の上り周波数領域の制御領域が、異なる前記第１の上り時間領域スケジューリングユニットに位置し、任意の２つの前記第１の上り周波数領域の制御領域の対応する前記第１の上り時間領域スケジューリングユニット内の周波数領域位置は、同じである。
【００１２】
第１の形態の実現可能な方式において、前記方法は、前記ネットワークデバイスが前記端末デバイスに第３の構成情報を送信することをさらに含み、前記第３の構成情報は、前記少なくとも１つの第１の上り周波数領域の制御領域の各前記第１の上り周波数領域の制御領域の前記第１の上り周波数領域スケジューリングユニットの開始周波数領域位置を確定するための情報を示す。
【００１３】
第１の形態の実現可能な方式において、前記ネットワークデバイスが前記端末デバイスに第３の構成情報を送信することは、前記ネットワークデバイスが上位レイヤのシグナリング、前記下り制御チャネル、ブロードキャストチャネル又はシステム情報ブロックＳＩＢで前記第３の構成情報を前記端末デバイスに送信することを含む。
【００１４】
第１の形態の実現可能な方式において、前記方法は、前記ネットワークデバイスが前記端末デバイスに第４の構成情報を送信することをさらに含み、前記第４の構成情報は、前記端末デバイスが使用する可能な周波数領域範囲を示し、前記少なくとも１つの第１の上り周波数領域の制御領域は、前記周波数領域範囲内の上り周波数領域の制御領域である。
【００１５】
第１の形態の実現可能な方式において、前記ネットワークデバイスが前記端末デバイスに第４の構成情報を送信することは、前記ネットワークデバイスが上位レイヤのシグナリング、前記下り制御チャネル、ブロードキャストチャネル又はシステム情報ブロックＳＩＢで前記第４の構成情報を前記端末デバイスに送信することを含む。
【００１６】
第２の形態は、上り制御チャネルの伝送方法を提供し、端末デバイスが第１の下り周波数領域の制御領域において、ネットワークデバイスにより送信された下り制御チャネルを受信することと、前記端末デバイスが前記少なくとも１つの第１の上り周波数領域の制御領域の各前記第１の上り周波数領域の制御領域の第１の上り周波数領域スケジューリングユニットにおいて、前記ネットワークデバイスに上り制御チャネルを送信することとを含み、前記下り制御チャネルには第１の構成情報が含まれ、前記第１の構成情報は、前記端末デバイスが上り制御チャネルに使用する少なくとも１つの第１の上り周波数領域の制御領域を前記ネットワークデバイスに送信するように動的に指示するために用いられ、前記第１の上り周波数領域スケジューリングユニットの前記第１の上り周波数領域の制御領域内の周波数領域位置は、前記第１の下り周波数領域の制御領域に基づいて確定されたものである。
【００１７】
第２の形態の実現可能な方式において、前記下り制御チャネルには第２の構成情報がさらに含まれ、前記第２の構成情報は、少なくとも１つの第１の上り時間領域スケジューリングユニットを示し、前記端末デバイスが前記少なくとも１つの第１の上り周波数領域の制御領域の各前記第１の上り周波数領域の制御領域の第１の上り周波数領域スケジューリングユニットにおいて、前記ネットワークデバイスに上り制御チャネルを送信することは、前記端末デバイスが前記少なくとも１つの第１の上り時間領域スケジューリングユニットの対応する前記第１の上り周波数領域の制御領域内の前記第１の上り周波数領域スケジューリングユニットにおいて、前記ネットワークデバイスに前記上り制御チャネルを送信することを含む。
【００１８】
第２の形態の実現可能な方式において、前記端末デバイスが第１の下り周波数領域の制御領域において、ネットワークデバイスにより送信された下り制御チャネルを受信することは、前記端末デバイスが第１の下り時間領域スケジューリングユニットの前記第１の下り周波数領域の制御領域において、前記ネットワークデバイスにより送信された下り制御チャネルを受信することを含み、前記第２の構成情報は、前記少なくとも１つの第１の上り時間領域スケジューリングユニットの各前記第１の上り周波数領域の制御領域が前記第１の下り時間領域スケジューリングユニットに対するオフセット量の情報を含む。
【００１９】
第２の形態の実現可能な方式において、前記第１の上り周波数領域スケジューリングユニットの各前記第１の上り周波数領域の制御領域内の位置は、前記第１の下り周波数領域の制御領域の前記第１の下り時間領域スケジューリングユニット内の周波数領域位置に基づいて確定されたものである。
【００２０】
第２の形態の実現可能な方式において、前記第２の構成情報は、Ｎ個の前記第１の上り時間領域スケジューリングユニットを示し、前記第１の構成情報は、Ｎ個の前記第１の上り周波数領域の制御領域を示し、各前記第１の上り周波数領域の制御領域が１つの前記第１の上り時間領域スケジューリングユニット内に位置し、任意の２つの前記第１の上り周波数領域の制御領域が、異なる前記第１の上り時間領域スケジューリングユニットに位置し、任意の２つの前記第１の上り周波数領域の制御領域の対応する前記第１の上り時間領域スケジューリングユニット内の周波数領域位置は、同じである。
【００２１】
第２の形態の実現可能な方式において、前記方法は、前記端末デバイスが前記ネットワークデバイスにより送信された第３の構成情報を受信することをさらに含み、前記第３の構成情報は、前記少なくとも１つの第１の上り周波数領域の制御領域の各前記第１の上り周波数領域の制御領域の前記第１の上り周波数領域スケジューリングユニットの開始周波数領域位置を確定するための情報を示す。
【００２２】
第２の形態の実現可能な方式において、前記端末デバイスが前記ネットワークデバイスにより送信された第３の構成情報を受信することは、前記端末デバイスが上位レイヤのシグナリング、前記下り制御チャネル、ブロードキャストチャネル又はシステム情報ブロックＳＩＢで前記ネットワークデバイスにより送信された前記第３の構成情報を受信することを含む。
【００２３】
第２の形態の実現可能な方式において、前記方法は、前記端末デバイスが前記ネットワークデバイスにより送信された第４の構成情報を受信することをさらに含み、前記第４の構成情報は、前記端末デバイスが使用する可能な周波数領域範囲を示し、前記少なくとも１つの第１の上り周波数領域の制御領域は、前記周波数領域範囲内の上り周波数領域の制御領域である。
【００２４】
第２の形態の実現可能な方式において、前記端末デバイスが前記ネットワークデバイスにより送信された第４の構成情報を受信することは、前記端末デバイスが上位レイヤのシグナリング、前記下り制御チャネル、ブロードキャストチャネル又はシステム情報ブロックＳＩＢで前記ネットワークデバイスにより送信された前記第４の構成情報を受信することを含む。
【００２５】
第３の形態は、第１の形態又は第１の形態の任意の実現可能な方式の方法のモジュールを含むネットワークデバイスを提供する。
【００２６】
第４の形態は、プロセッサ、メモリ及び送受信機を含むネットワークデバイスを提供して、第１の形態又は第１の形態の任意の実現可能な方式の方法を実行する。
【００２７】
第５の形態は、第２の形態又は第２の形態の任意の実現可能な方式の方法のモジュールを含む端末デバイスを提供する。
【００２８】
第６の形態は、プロセッサ、メモリ及び送受信機を含む端末デバイスを提供して、第２の形態又は第２の形態の任意の実現可能な方式の方法を実行する。
【００２９】
第７の形態は、コンピュータ読み取り可能な記録媒体を提供し、コンピュータプログラムを記憶し、当該コンピュータプログラムは、第１の形態又は第１の形態の任意の実現可能な方式の方法を実現するための命令を含む。
【００３０】
第８の形態は、コンピュータ読み取り可能な記録媒体を提供し、コンピュータプログラムを記憶し、当該コンピュータプログラムは、第２の形態又は第２の形態の任意の実現可能な方式の方法を実現するための命令を含む。
【図面の簡単な説明】
【００３１】
【図１】本発明の実施例に応用される通信システムの模式図である。
【図２】本発明の実施例における上り制御チャネルの伝送方法のフローチャートである。
【図３】本発明の実施例における上り制御チャネルの伝送方法の模式図である。
【図４】本発明の他の実施例における上り制御チャネルの伝送方法の模式図である。
【図５】本発明の他の実施例における上り制御チャネルの伝送方法の模式図である。
【図６】本発明の他の実施例における上り制御チャネルの伝送方法の模式図である。
【図７】本発明の他の実施例における上り制御チャネルの伝送方法の模式図である。
【図８】本発明の他の実施例における上り制御チャネルの伝送方法のフローチャートである。
【図９】本発明の実施例におけるネットワークデバイスのブロック図である。
【図１０】本発明の他の実施例におけるネットワークデバイスのブロック図である。
【図１１】本発明の実施例における端末デバイスのブロック図である。
【図１２】本発明の他の実施例における端末デバイスのブロック図である。
【発明を実施するための形態】
【００３２】
以下、図面に基づいて、本発明の実施例に係る技術案を説明する。
【００３３】
図１は本発明の実施例における通信システムの模式図を示す。図１に示すように、ネットワーク１００は、ネットワークデバイス１０２及び端末デバイス１０４、１０６、１０８、１１０、１１２、１１４を含み、ここで、ネットワークデバイスと端末デバイスは無線により接続される。なお、図１は、１つのネットワークデバイスを例として説明するが、本発明の実施例はこれに限定しなく、例えば、複数のネットワークデバイスであってもよく、同様、複数の端末デバイス、他のデバイスを含むことができる。
【００３４】
本発明は端末デバイスに基づいて各実施例を説明する。端末デバイスは、ユーザデバイス（ＵＥ：Ｕｓｅｒ  Ｅｑｕｉｐｍｅｎｔ）、アクセス端末、ユーザユニット、ユーザ局、移動局、移動台、リモート局、リモート端末、移動装置、ユーザ端末、端末、無線通信デバイス、ユーザエージェント又はユーザ装置であってもよい。アクセス端末は、携帯電話、移動電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）局、ＰＤＡ（Ｐｅｒｓｏｎａｌ  Ｄｉｇｉｔａｌ  Ａｓｓｉｓｔａｎｔ）、無線通信機能を備えるハンドヘルド機器、コンピューティング装置、無線モデムに接続される他の処理デバイス、車載機器、ウェアラブル機器、未来の５Ｇネットワークの端末デバイス又は未来のＰＬＭＮ（Ｐｕｂｌｉｃ  Ｌａｎｄ  Ｍｏｂｉｌｅ  Ｎｅｔｗｏｒｋ）ネットワーク内の端末デバイス等であってもよい。
【００３５】
本発明はネットワークデバイスに基づいて各実施例を説明する。ネットワークデバイスは、端末デバイスと通信するデバイスであってもよく、ＧＳＭ又はＣＤＭＡのＢＴＳ（Ｂａｓｅ  Ｔｒａｎｓｃｅｉｖｅｒ  Ｓｔａｔｉｏｎ）、ＷＣＤＭＡシステムの基地局（ＮｏｄｅＢ）ＬＴＥシステムの進化型の基地局（ｅＮＢ又はｅＮｏｄｅＢ：Ｅｖｏｌｕｔｉｏｎａｌ  ＮｏｄｅＢ）、ＣＲＡＮ（Ｃｌｏｕｄ  Ｒａｄｉｏ  Ａｃｃｅｓｓ  Ｎｅｔｗｏｒｋ、）の無線コントローラ、中継局、アクセスポイント、車載機器、ウェアラブル機器、未来の５Ｇネットワークのネットワークデバイス、未来の進化のＰＬＭＮネットワークのネットワークデバイス等であってもよい。
【００３６】
通信システムにおいて、２つの種類の制御チャネルがあり、１つが共通制御チャネルであり、もう１つが端末デバイス構成（ＵＥ−ｓｐｅｃｉｆｉｃ）制御チャネルである。共通制御チャネルは、全ての端末デバイス又は一部の端末デバイスに共通情報を伝送するための制御チャネルである。端末デバイス構成制御チャネルは、指定された端末デバイスと関連制御情報を伝送するための制御チャネルであり、例えば、データ伝送に関する構成信号などである。本発明の実施例に係る技術案は、端末デバイス構成制御チャネル内の上り制御チャネルを伝送するために用いられる。
【００３７】
通信システムにおいて、制御領域を制御リソースセット（ｃｏｎｔｒｏｌ  ｒｅｓｏｕｒｃｅ  ｓｅｔ）と呼び、上り及び下りによって、上り制御領域及び下り制御領域に分ける。４Ｇシステムとの相違点は、５Ｇシステムにおいて、制御領域が時間周波数の次元により分けることでなく、時間領域と周波数領域の２つの次元により分け、時間領域制御領域と周波数領域の制御領域を別々に考える。
【００３８】
周波数領域の制御領域は、システムの帯域幅全体でなく、その一部の周波数領域リソースに亘っている。周波数領域の制御領域は、周波数領域に連続又は非連続するいくつかの物理リソースブロック（ＰＲＢ：Ｐｈｙｓｉｃａｌ  Ｒｅｓｏｕｒｃｅ  Ｂｌｏｃｋ）又はリソースブロック（ＲＢ：Ｒｅｓｏｕｒｃｅ  Ｂｌｏｃｋ）からなる。ＰＲＢ又はＲＢは、周波数領域において最小のスケジューリングユニットであり、周波数領域スケジューリングユニットとも呼ぶ。なお、ＰＲＢ又はＲＢの以外、周波数領域スケジューリングユニットは、他の粒度の周波数領域ユニットであってよく、本発明の実施例はこれに限定しない。時間領域制御領域は、時間領域に連続又は非連続するいくつかの時間領域スケジューリングユニットからなる。時間領域スケジューリングユニットは、時間領域において最小のスケジューリングユニットであり、例えば、スロット、サブフレーム、フレーム又は１つ又は複数の直交周波数分割（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）符号などである。
【００３９】
１つの制御チャネルは、１つの又はいくつかの制御チャネル要素（ＣＣＥ：Ｃｏｎｔｒｏｌ  Ｃｈａｎｎｅｌ  Ｅｌｅｍｅｎｔ）によって伝送され、例えば、１、２、４、８、・・・個の制御チャネル要素により伝送され、制御チャネル要素の集約レベル（ＣＣＥ  Ａｇｇｒｅｇａｔｉｏｎ  Ｌｅｖｅｌ）と呼ぶ。１つの制御チャネル要素は、いくつかの制御リソースユニット（ｃｏｎｔｒｏｌ  ｒｅｓｏｕｒｃｅ  ｕｎｉｔ）からなり、１つの制御リソースユニットは、周波数領域において１つのＰＲＢと時間領域において１つのスロット（又はいくつかのＯＦＤＭ符号）からなる１つの時間周波数リソース（ｔｉｍｅ−ｆｒｅｑｕｅｎｃｙ  ｒｅｓｏｕｒｃｅ）であり、制御チャネルの伝送に使用する最小のリソースユニットとみなす。
【００４０】
特定の下り時間領域制御領域と下り周波数領域の制御領域とは、下り時間周波数領域を構成する。下り時間周波数領域は、下り時間領域リソース及び下り周波数領域リソースの以外、さらに、特定のコード領域リソース及び／又はビーム領域リソースを含み、異なる下り時間周波数領域は、時間領域、周波数領域、コード領域及び／又はビーム領域に一部が重なってもよく、本発明の実施例はこれを限定しない。同様、特定の上り時間領域制御領域と上り周波数領域の制御領域とは、上り時間周波数領域を構成する。上り時間周波数領域は、上り時間領域リソース及び上り周波数領域リソースの以外、さらに、特定のコード領域リソース及び／又はビーム領域リソースを含み、異なる上り時間周波数領域は、時間領域、周波数領域、コード領域及び／又はビーム領域に一部が重なってもよく、本発明の実施例はこれを限定しない。
【００４１】
なお、本発明の各実施例における位置において、例えば、上り周波数領域スケジューリングユニットの位置は、当該上り周波数領域スケジューリングユニットの対応する上り周波数領域の制御領域内の相対位置であり、下り周波数領域の制御領域の位置は、当該下り周波数領域の制御領域の対応する下り時間領域スケジューリングユニットの全ての周波数領域の制御領域内の相対位置である。上り制御チャネルの位置は、時間領域、周波数領域、コード領域及びビーム領域の具体的な位置であってもよく、本発明の各実施例は、時間領域及び周波数領域を注目する。
【００４２】
なお、通常、上り時間周波数リソース内の上り制御チャネルの伝送に使用しない時間周波数リソースは、上り数据の伝送に使用してもよい。
【００４３】
図２は本発明の実施例における上り制御チャネルの伝送方法２００のフローチャートである。方法２００がネットワークデバイスにより実行され、当該方法は、Ｓ２１０〜Ｓ２２０を含む。
【００４４】
Ｓ２１０において、ネットワークデバイスが第１の下り周波数領域の制御領域において下り制御チャネルを端末デバイスに送信し、下り制御チャネルには第１の構成情報が含まれ、第１の構成情報は、端末デバイスがネットワークデバイスに上り制御チャネルに使用する少なくとも１つの第１の上り周波数領域の制御領域を送信するように指示するために用いられる。
【００４５】
Ｓ２２０において、ネットワークデバイスが少なくとも１つの第１の上り周波数領域の制御領域の各第１の上り周波数領域の制御領域の第１の上り周波数領域スケジューリングユニットにおいて、端末デバイスにより送信された上り制御チャネルを受信し、第１の上り周波数領域スケジューリングユニットの第１の上り周波数領域の制御領域内の周波数領域位置は、第１の下り周波数領域の制御領域に基づいて確定されたものである。
【００４６】
本発明の実施例における上り制御チャネルの伝送方法は、第１の構成情報で上り周波数領域の制御領域を指示し、下り周波数領域の制御領域の位置に基づいて、上り制御チャネルを伝送するための上り周波数領域スケジューリングユニットの上り周波数領域の制御領域内の位置を確定し、動的なスケジューリングと暗黙指示との組合せ方式を採用して、上り制御チャネルを伝送する周波数領域リソースを確定することで、ＰＵＳＣＨのスケジューリング複雑さを低減させ、シグナリングオーバーヘッドが小さくなり、ネットワークデバイスのスケジューリング複雑さが低くなる。
【００４７】
なお、本発明の実施例における少なくとも１つの第１の上り周波数領域の制御領域は、同じ上り時間領域スケジューリングユニットが位置してもよく、異なる上り時間領域スケジューリングユニットが位置してもよく、一部の第１の上り周波数領域の制御領域は、同じ上り時間領域スケジューリングユニットが位置し、他の部分は、他の上り時間領域スケジューリングユニットが位置してもよく、本発明の実施例は、以下に詳しく説明する。
【００４８】
本発明の各実施例において、上り周波数領域の制御領域が第１の構成情報により動的にスケジューリングされ、ネットワークデバイスは、現在の各周波数帯のチャネル状況に応じて、上り周波数領域の制御領域を柔軟に選定することができる。１つの周波数帯（１つの上り周波数領域の制御領域）において、各上り周波数領域スケジューリングユニットのチャネル状況の差分が大きくないため、動的なスケジューリングを行わず、下り制御チャネルの下り周波数領域の制御領域の位置を送信してマッピングを暗黙に行う。
【００４９】
なお、本発明の実施例は、完全の暗黙指示方式を使用しなく、従来の暗黙指示方式のように、上り制御チャネルを伝送する可能性がある全ての周波数リソースを上り周波数領域の制御領域として設定することなく、この場合、リソースを節約し、リソースの使用効率を向上させる。なお、周波数の選択性スケジューリングを利用して上り制御チャネルのリンク性能を向上するために、上り周波数領域の制御領域が占用する周波数帯は、システムの要求に応じて柔軟に調整されることができる。例えば、上り周波数領域の制御領域が動作の周波数帯の全体にできるだけ均一に散在されて、周波数の選択性スケジューリングを利用して上り制御チャネルのリンク性能を向上させることができる。
【００５０】
以下、応用シーンに基づいて本発明の実施例における上り制御チャネルの伝送方法を説明する。
【００５１】
図３は本発明の実施例における上り制御チャネルの伝送方法の模式図である。この応用シーンにおいて、図３に示すように、システムの１つの下り時間領域スケジューリングユニット（例えば下りスロット）が１つの上り時間領域スケジューリングユニット（例えば上りスロット）に対応する。この場合、上り制御チャネルを伝送するためのリソースが必ず上り時間領域スケジューリングユニットに位置し、リソースの周波数領域位置を確定すればよい。
【００５２】
例えば、下りスロットには、Ｓ（Ｓ＝４）個の下り周波数領域の制御領域、即ち下り周波数領域の制御領域１、下り周波数領域の制御領域２、下り周波数領域の制御領域３及び下り周波数領域の制御領域４が含まれる。ネットワークデバイスは、４つの下り周波数領域の制御領域のうちの下り周波数領域の制御領域ｓ（ｓ＝３）において端末デバイスに下り制御チャネルを送信する。図３に２つの端末デバイス、端末デバイス１及び端末デバイス２を示し、その下り制御チャネルは、下り周波数領域の制御領域３で送信する。
【００５３】
例えば、上りスロットにはＴ（Ｔ＝３）個の上り周波数領域の制御領域、即ち上り周波数領域の制御領域１、上り周波数領域の制御領域２及び上り周波数領域の制御領域３が含まれる。本発明の実施例における周波数領域リソースは、各上り周波数領域の制御領域にＳ個の上り周波数領域スケジューリングユニットが設けられ、Ｓ個の下り周波数領域の制御領域に対応する。
【００５４】
端末デバイス１の場合、ネットワークデバイスが下り周波数領域の制御領域３において端末デバイス１に送信する下り制御チャネルは、第１の構成情報を含み、第１の構成情報は、端末デバイス１の上り制御チャネルに使用する上り周波数領域の制御領域の情報、例えば、図３の上り周波数領域の制御領域２を含む。当該端末デバイス１の上り制御チャネルに使用する上り周波数領域スケジューリングユニットは、マッピング関係ｆ(ｓ)により確定され、ここで、ｆ(ｓ)＝ｓであり、即ち、上り周波数領域の制御領域２の４つの上り周波数領域スケジューリングユニットのうちの上り周波数領域スケジューリングユニット３を利用して上り制御チャネルを伝送する。
【００５５】
端末デバイス２の場合、ネットワークデバイスが下り周波数領域の制御領域３において端末デバイス２に送信する下り制御チャネルは、第１の構成情報を含み、第１の構成情報は、端末デバイス２の上り制御チャネルに使用する上り周波数領域の制御領域の情報、例えば、図３の上り周波数領域の制御領域３を含む。当該端末デバイス２の上り制御チャネルに使用する上り周波数領域スケジューリングユニットは、マッピング関係ｆ(ｓ)により確定され、ここで、ｆ(ｓ)＝ｓであり、即ち、上り周波数領域の制御領域３の４つの上り周波数領域スケジューリングユニットのうちの上り周波数領域スケジューリングユニット３を利用して上り制御チャネルを伝送する。
【００５６】
ネットワークデバイスは、上位レイヤのシグナリング、例えばＲＲＣシグナリング等で下り周波数領域の制御領域に対応する上り周波数領域スケジューリングユニットのマッピング関係ｆ(ｓ)を構成することができる。例えば、当該マッピング上り周波数領域スケジューリングユニットの方式は、下りスロットの複数の下り周波数領域の制御領域に番号を付け、各上り周波数領域の制御領域内の上り周波数領域スケジューリングユニットに番号を付け、下り周波数領域の制御領域の番号が上り周波数領域スケジューリングユニットの番号である。具体的に、上り周波数領域の制御領域を示す方式は、上りスロットの複数の上り周波数領域の制御領域に番号を付け、第１の構成情報に当該番号を示す。つまり、第１の上り周波数領域スケジューリングユニットの第１の上り周波数領域の制御領域内の位置は、第１の下り周波数領域の制御領域の第１の下り時間領域スケジューリングユニット内の周波数領域位置に基づいて確定されたものである。
【００５７】
なお、図３において、第１の構成情報は、１つの第１の上り周波数領域の制御領域のみを示す。本発明の実施例において、第１の構成情報は、上りスロット内の複数の第１の上り周波数領域の制御領域を示すことができる。
【００５８】
なお、図３において、１つの下り時間領域スケジューリングユニットが１つの上り時間領域スケジューリングユニットに対応する。他の場合、１つの下り時間領域スケジューリングユニットが複数の上り時間領域スケジューリングユニットに対応し、又は、１つの下り時間領域スケジューリングユニットがシステム要求に応じて、複数の上り時間領域スケジューリングユニットのいずれかの上り時間領域スケジューリングユニットに対応してもよい。また、上り制御チャネルの伝送が占用する時間領域リソースを示すことが必要があり、即ち、どちらの上り時間領域スケジューリングユニットで上り制御チャネルを伝送することを示す必要がある。
【００５９】
選択可能で、下り制御チャネルには第２の構成情報が含まれ、第２の構成情報は、少なくとも１つの第１の上り時間領域スケジューリングユニットを示し、Ｓ２２０において、ネットワークデバイスが少なくとも１つの第１の上り周波数領域の制御領域の各第１の上り周波数領域の制御領域の第１の上り周波数領域スケジューリングユニットにおいて、端末デバイスにより送信された上り制御チャネルを受信することは、ネットワークデバイスが少なくとも１つの第１の上り時間領域スケジューリングユニットの対応する第１の上り周波数領域の制御領域内の第１の上り周波数領域スケジューリングユニットにおいて、端末デバイスにより送信された上り制御チャネルを受信することを含む。
【００６０】
図４は本発明の他の実施例における上り制御チャネルの伝送方法の模式図である。当該応用シーンにおいて、図４に示すように、システムの１つの下り時間領域スケジューリングユニット（例えば下りスロット）が２つの上り時間領域スケジューリングユニット（例えば上りスロット１及び上りスロット２）に対応する。ネットワークデバイスが下り周波数領域の制御領域３において、端末デバイスに下り制御チャネルを送信する。下り制御チャネルは、第１の構成情報で上り周波数領域の制御領域２を示す以外、第２の構成情報をさらに含み、第２の構成情報は、上り制御チャネルが上りスロット１で送信することを示す。そして、上りスロット１の上り周波数領域の制御領域２の４つの上り周波数領域スケジューリングユニットのうちの上り周波数領域スケジューリングユニット３を利用して上り制御チャネルを伝送する。
【００６１】
具体的に、Ｓ２１０において、ネットワークデバイスが第１の下り周波数領域の制御領域において下り制御チャネルを端末デバイスに送信するこは、ネットワークデバイスが第１の下り時間領域スケジューリングユニットの第１の下り周波数領域の制御領域において、端末デバイスに下り制御チャネルを送信することを含み、第２の構成情報は、少なくとも１つの第１の上り時間領域スケジューリングユニット内の各第１の上り周波数領域の制御領域が第１の下り時間領域スケジューリングユニットに対するオフセット量の情報を示す。勿論、システムは、上りスロットに番号を付けてもよく、第２の構成情報に上り制御チャネルを伝送するための上りスロットの番号を示し、本発明の実施例は、上りスロットの示す方式を限定しない。
【００６２】
図４は１つの上りスロットで上り制御チャネルを伝送することを示す。本発明の実施例における上り制御チャネルは、複数の上りスロットで伝送されてもよい。この時、第２の構成情報は、複数の上りスロットの番号、最初の上りスロットの番号及び複数の上りスロットの他の上りスロットと最初の上りスロットとの時間領域の相対オフセット量、又は最初の上りスロットの番号及び連続する上りスロットの数などを示しているが、本発明の実施例は、複数の上りスロットの示す方を限定しない。
【００６３】
第１の構成情報は、異なる示す方式がある。１つの方式として、システムが各上りスロット内の上り周波数領域の制御領域に番号をそれぞれ付け、且つ全ての上りスロットが同じ番号の上り周波数領域の制御領域を利用して上り制御チャネルを伝送する場合、第１の構成情報が上り周波数領域の制御領域の番号のみを示し、当該番号が全ての上りスロットの上り制御チャネルに作用する。
【００６４】
つまり、第２の構成情報は、Ｎ個の第１の上り時間領域スケジューリングユニットを示し、第１の構成情報は、Ｎ個の第１の上り周波数領域の制御領域を示し、ここで、各第１の上り周波数領域の制御領域が１つの第１の上り時間領域スケジューリングユニットに位置し、任意の２つの第１の上り周波数領域の制御領域が、異なる第１の上り時間領域スケジューリングユニットに位置し、任意の２つの第１の上り周波数領域の制御領域の対応する第１の上り時間領域スケジューリングユニット内の周波数領域位置は、同じである。
【００６５】
第１の構成情報の他の示す方式として、システムが全ての上りスロット内の全ての上り周波数領域の制御領域に順次に番号を付ける場合、複数の上り周波数領域の制御領域は、同じ番号がないため、第１の構成情報は、全ての上り周波数領域の制御領域の番号を示すことができる。第１の構成情報他の示す方式として、システムが各上りスロット内の上り周波数領域の制御領域に番号をそれぞれ付け、且つ２つの上りスロットが異なる番号の上り周波数領域の制御領域を利用して上り制御チャネルを伝送する場合、第１の構成情報は、各上りスロット内の上り周波数領域の制御領域の番号をそれぞれ示す。本発明の実施例は、第１の構成情報の示す方式を限定しない。
【００６６】
図５は本発明の他の実施例における上り制御チャネルの伝送方法の模式図である。この応用シーンにおいて、図５に示すように、システムにおいて、複数の（例えば２つ）下り時間領域スケジューリングユニット（例えば下りスロット１及び下りスロット２）が１つの上り時間領域スケジューリングユニット（例えば上りスロット）に対応する。この場合、システムが全ての下りスロット内の全ての下り周波数領域の制御領域に順次に番号を付け、複数の下りスロット内の全ての下り周波数領域の制御領域の番号が異なり、全部にＫ個である。上り時間領域スケジューリングユニット内の各上り周波数領域の制御領域にはＫ個の上り周波数領域スケジューリングユニットが含まれる。
【００６７】
図５に示すように、例えば、下りスロット１には１つの下り周波数領域の制御領域である下り周波数領域の制御領域１が含まれ、下りスロット２には３つの下り周波数領域の制御領域、即ち下り周波数領域の制御領域２、下り周波数領域の制御領域３及び下り周波数領域の制御領域４が含まれる。ネットワークデバイスが下りスロット２の３つの下り周波数領域の制御領域内の下り周波数領域の制御領域３において端末デバイスに下り制御チャネルを送信する。上り時間領域スケジューリングユニット（上りスロット）には３つの上り周波数領域の制御領域、即ち上り周波数領域の制御領域１、上り周波数領域の制御領域２及び上り周波数領域の制御領域３が含まれる。各上り周波数領域の制御領域には４つの上り周波数領域スケジューリングユニットが含まれ、下りスロット１内の１つの下り周波数領域の制御領域及び下りスロット２内の３つの下り周波数領域の制御領域に対応する。
【００６８】
ネットワークデバイスが下り周波数領域の制御領域３において端末デバイスに送信した下り制御チャネルには第１の構成情報が含まれ、第１の構成情報は、端末デバイスの上り制御チャネルに使用する上り周波数領域の制御領域の情報、例えば、図５の上り周波数領域の制御領域２を含む。当該端末デバイスの上り制御チャネルに使用する上り周波数領域スケジューリングユニットは、マッピング関係ｆ(ｓ)により確定され、ｆ(ｓ)＝ｓであり、即ち、上り周波数領域の制御領域２の４つの上り周波数領域スケジューリングユニット内の上り周波数領域スケジューリングユニット３を利用して上り制御チャネルを伝送する。
【００６９】
図６は本発明の他の実施例における上り制御チャネルの伝送方法の模式図である。当該応用シーンにおいて、図６に示すように、システムにおいて、複数の（例えば２つ）下り時間領域スケジューリングユニット（例えば下りスロット１及び下りスロット２）が１つの上り時間領域スケジューリングユニット（例えば上りスロット）に対応する。この場合、システムは、各下りスロット内の下り周波数領域の制御領域に番号をそれぞれ付け、複数の下りスロット内の下り周波数領域の制御領域が全部Ｋ個である。上り時間領域スケジューリングユニット内の各上り周波数領域の制御領域にはＫ個の上り周波数領域スケジューリングユニットが含まれる。
【００７０】
図６に示すように、例えば、下りスロット１には１つの下り周波数領域の制御領域、即ち下り周波数領域の制御領域１が含まれ、下りスロット２には３つの下り周波数領域の制御領域、即ち下り周波数領域の制御領域１、下り周波数領域の制御領域２及び下り周波数領域の制御領域３が含まれる。ネットワークデバイスが下りスロット２の３つの下り周波数領域の制御領域内の下り周波数領域の制御領域２において端末デバイスに下り制御チャネルを送信する。上り時間領域スケジューリングユニット（上りスロット）には３つの上り周波数領域の制御領域、即ち上り周波数領域の制御領域１、上り周波数領域の制御領域２及び上り周波数領域の制御領域３が含まれる。各上り周波数領域の制御領域には４つの上り周波数領域スケジューリングユニットが含まれ、下りスロット１内の１つの下り周波数領域の制御領域及び下りスロット２内の３つの下り周波数領域の制御領域に対応する。
【００７１】
この場合、方法２００は、さらに、ネットワークデバイスが端末デバイスに第３の構成情報を送信することを含み、第３の構成情報は、少なくとも１つの第１の上り周波数領域の制御領域内の各第１の上り周波数領域の制御領域の第１の上り周波数領域スケジューリングユニットの開始周波数領域位置を確定するための情報を示す。
【００７２】
具体的に、１つの例として、ネットワークデバイスは、上位レイヤのシグナリングで端末デバイスと各下りスロット内の下り周波数領域の制御領域の状況（下り周波数領域の制御領域の数を少なくとも含む）を確認することができる。第３の構成情報が下りスロットの番号を含み、このように、端末デバイスは、下りスロットの番号、及び各スロット内の下り周波数領域の制御領域の数に基づいて、上りスロット内の各上り周波数領域の制御領域内の上り制御チャネルを伝送するための上り周波数領域スケジューリングユニットの開始位置を把握することができる。
【００７３】
他の例として、第３の構成情報は、選択された下りスロットの前の全ての下りスロットの下り周波数領域の制御領域の個数ｆ(ｐ)を含み、このように、端末デバイスは、この個数に基づいて、上りスロット内の各上り周波数領域の制御領域内の上り制御チャネルを伝送するための上り周波数領域スケジューリングユニットの開始位置を把握することができる。端末デバイスの上り制御チャネルの第１の構成情報が示す第１の上り周波数制御領域内の具体的な位置は、ｆ(ｐ)とｆ(ｓ)と組み合わせて確定され、即ち、ｆ(ｐ)で他の下りスロットマッピングの上り制御チャネルが占用する上り周波数領域スケジューリングユニットの個数を確定し、端末デバイスの下り制御チャネルが所在する下りスロットマッピングの上り制御チャネルが占用する上り周波数領域スケジューリングユニットの開始点を確定し、次に、この開始点に基づいてｆ(ｎ)で具体的な位置を確定する。
【００７４】
ネットワークデバイスが下りスロット２の下り周波数領域の制御領域２（ｓ＝２）において端末デバイスに送信した下り制御チャネルには第１の構成情報が含まれ、第１の構成情報は、端末デバイスの上り制御チャネルに使用する上り周波数領域の制御領域の情報、例えば、図６の上り周波数領域の制御領域２を含む。ネットワークデバイスが端末デバイスに第３の構成情報を送信し、第３の構成情報は、下りスロット２の前の下りスロット１内の下り周波数領域の制御領域の個数（１つ）、即ちｆ(ｐ)＝１を含む。当該端末デバイスの上り制御チャネルに使用する上り周波数領域スケジューリングユニットは、ｆ(ｐ)＋ｆ(ｓ)により確定され、ここで、ｆ(ｓ)＝ｓ、ｆ(ｐ)+ｆ(ｓ)＝３であり、即ち、上り周波数領域の制御領域２の４つの上り周波数領域スケジューリングユニット内の上り周波数領域スケジューリングユニット３を利用して上り制御チャネルを伝送する。
【００７５】
５Ｇシステムのカバーバンドが非常に広い可能性があり（特に高いバンドの場合）、この場合、端末デバイスがバンド全体において制御チャネルを検定すると、多くの端末デバイスのリソースを掛かる必要があるため、端末デバイスが一定の周波数領域範囲（又は周波数領域帯域幅）のみをサポートする。又は、端末デバイスが下り方向においてすべてのバンドをカバーし、上り方向において一定の周波数領域範囲のみをカバーする。この場合、方法２００は、さらに、ネットワークデバイスが端末デバイスに第４の構成情報を送信することを含み、第４の構成情報は、端末デバイスが利用する可能な周波数領域範囲を示し、少なくとも１つの第１の上り周波数領域の制御領域は、周波数領域範囲内の上り周波数領域の制御領域である。
【００７６】
つまり、ネットワークデバイスは、端末デバイスに第４の構成情報を送信し、システム帯域幅内に１つの周波数領域範囲Ｗを示す。第１の構成情報は、端末デバイスが上り制御チャネルのＷ内の上り周波数領域の制御領域内の第１の上り周波数領域の制御領域で送信することを示す。当該周波数領域範囲Ｗは、連続する周波数領域リソース、又は、非連続する周波数領域リソースを含むが、本発明の実施例はこれを限定しない。
【００７７】
図７は本発明の他の実施例における上り制御チャネルの伝送方法の模式図である。当該応用シーンにおいて、図７に示すように、端末デバイスの上り制御チャネルが１つの周波数領域範囲Ｗ（サブバンド）に限定され、１つの下りスロットが１つの上りスロットに対応することを例とし、ネットワークデバイスは、第４の構成情報を利用して端末デバイスの上り制御チャネルが分布される周波数領域範囲Ｗを示し、次に、第１の構成情報を利用して端末デバイスの上り制御チャネルがＷ内の２つ下り周波数領域の制御領域内の下り周波数領域の制御領域２で送信するこを示し、端末デバイスの上り制御チャネルの下り周波数領域の制御領域２内の具体的な位置は、端末デバイスの下り制御チャネルが所在する上り周波数領域の制御領域（上り周波数領域の制御領域３）により確定され、即ち、３番目の上り周波数領域スケジューリングユニット３に位置する。
【００７８】
選択可能で、本発明の実施例において、ネットワークデバイスは、上位レイヤのシグナリング（例えばＲＲＣシグナリング）、下り制御チャネル、ブロードキャストチャネル又はシステム情報ブロック（ＳＩＢ：Ｓｙｓｔｅｍ  Ｉｎｆｏｒｍａｔｉｏｎ  Ｂｌｏｃｋ）で端末デバイスに第３の構成情報及び／又は第４の構成情報を送信し、本発明の実施例はこれに限定しない。
【００７９】
図８は本発明の実施例における上り制御チャネルの伝送方法８００のフローチャートである。方法８００が端末デバイスにより実行され、当該方法は、Ｓ８１０〜Ｓ８２０を含む。
【００８０】
Ｓ８１０において、端末デバイスが第１の下り周波数領域の制御領域において、ネットワークデバイスにより送信された下り制御チャネルを受信し、下り制御チャネルには第１の構成情報が含まれ、第１の構成情報は、端末デバイスのネットワークデバイスへの上り制御チャネルの送信に使用する少なくとも１つの第１の上り周波数領域の制御領域を示す。
【００８１】
Ｓ８２０において、端末デバイスは、少なくとも１つの第１の上り周波数領域の制御領域内の各第１の上り周波数領域の制御領域の第１の上り周波数領域スケジューリングユニットにおいて、ネットワークデバイスに上り制御チャネルを送信し、第１の上り周波数領域スケジューリングユニットの第１の上り周波数領域の制御領域内の周波数領域位置は、第１の下り周波数領域の制御領域に基づいて確定されたものである。
【００８２】
本発明の実施例における上り制御チャネルの伝送方法、第１の構成情報で上り周波数領域の制御領域を指示し、下り周波数領域の制御領域の位置に基づいて、上り制御チャネルを伝送するための上り周波数領域スケジューリングユニットの上り周波数領域の制御領域内の位置を確定し、動的なスケジューリングと暗黙指示との組合せ方式を採用して、上り制御チャネルを伝送する周波数領域リソースを確定することで、ＰＵＳＣＨのスケジューリング複雑さを低減させ、シグナリングオーバーヘッドが小さくなり、ネットワークデバイスのスケジューリング複雑さが低くなる。
【００８３】
選択可能で、１つの実施例として、下り制御チャネルには、第２の構成情報がさらに含まれ、第２の構成情報は、少なくとも１つの第１の上り時間領域スケジューリングユニットを示し、Ｓ８２０において、端末デバイスが少なくとも１つの第１の上り周波数領域の制御領域内の各第１の上り周波数領域の制御領域の第１の上り周波数領域スケジューリングユニットにおいて、ネットワークデバイスに上り制御チャネルを送信することは、端末デバイスが少なくとも１つの第１の上り時間領域スケジューリングユニットの対応する第１の上り周波数領域の制御領域内の第１の上り周波数領域スケジューリングユニットにおいて、ネットワークデバイスに上り制御チャネルを送信することを含む。
【００８４】
選択可能で、１つの実施例として、Ｓ８１０において、端末デバイスが第１の下り周波数領域の制御領域において、ネットワークデバイスにより送信された下り制御チャネルを受信するこは、端末デバイスが第１の下り時間領域スケジューリングユニットの第１の下り周波数領域の制御領域において、ネットワークデバイスにより送信された下り制御チャネルを受信することを含み、ここで、第２の構成情報は、少なくとも１つの第１の上り時間領域スケジューリングユニット内の各第１の上り周波数領域の制御領域が第１の下り時間領域スケジューリングユニットに対するオフセット量の情報を含む。
【００８５】
選択可能で、１つの実施例として、第１の上り周波数領域スケジューリングユニットの各第１の上り周波数領域の制御領域内の位置は、第１の下り周波数領域の制御領域の第１の下り時間領域スケジューリングユニット内の周波数領域位置に基づいて確定されたものである。
【００８６】
選択可能で、１つの実施例として、第２の構成情報は、Ｎ個の第１の上り時間領域スケジューリングユニットを示し、第１の構成情報は、Ｎ個の第１の上り周波数領域の制御領域を示し、ここで、各第１の上り周波数領域の制御領域が１つの第１の上り時間領域スケジューリングユニットに位置し、任意の２つの第１の上り周波数領域の制御領域が、異なる第１の上り時間領域スケジューリングユニットに位置し、任意の２つの第１の上り周波数領域の制御領域の対応する第１の上り時間領域スケジューリングユニット内の周波数領域位置は、同じである。
【００８７】
選択可能で、１つの実施例として、方法８００は、さらに、端末デバイスがネットワークデバイスにより送信された第３の構成情報を受信することを含み、第３の構成情報は、少なくとも１つの第１の上り周波数領域の制御領域内の各第１の上り周波数領域の制御領域の第１の上り周波数領域スケジューリングユニットの開始周波数領域位置を確定するための情報を示す。
【００８８】
本発明の実施例において、端末デバイスがネットワークデバイスにより送信された第３の構成情報を受信することは、端末デバイスが上位レイヤのシグナリング、下り制御チャネル、ブロードキャストチャネル又はシステム情報ブロックＳＩＢでネットワークデバイスにより送信された第３の構成情報を受信することを含む。
【００８９】
選択可能で、１つの実施例として、方法８００は、さらに、端末デバイスがネットワークデバイスにより送信された第４の構成情報を受信することを含み、第４の構成情報は、端末デバイスが利用する可能な周波数領域範囲を示し、少なくとも１つの第１の上り周波数領域の制御領域は、周波数領域範囲内の上り周波数領域の制御領域である。
【００９０】
本発明の実施例において、端末デバイスがネットワークデバイスにより送信された第４の構成情報を受信することは、端末デバイスが上位レイヤのシグナリング、下り制御チャネル、ブロードキャストチャネル又はシステム情報ブロックＳＩＢでネットワークデバイスにより送信された第４の構成情報を受信することを含む。
【００９１】
なお、本発明の各実施例において、上記の各過程の番号の大きさが実行の順番を意味しなく、各過程の実行の順番は、その機能や内部論理により確定され、本発明の実施例の実施を限定しない。
【００９２】
以上、本発明の実施例における伝送信号の方法を説明し、以下、本発明の実施例におけるネットワークデバイス及び端末デバイスを説明する。なお、本発明の実施例におけるネットワークデバイス及び端末デバイスは、上記の本発明の実施例における方法を実行し、以下のデバイスの内容は、上記の方法の実施例の内容を参照することができる。
【００９３】
図９は本発明の実施例におけるネットワークデバイス９００のブロック図である。図９に示すように、当該ネットワークデバイス９００が送信モジュール９１０及び受信モジュール９２０を含む。
【００９４】
送信モジュール９１０は、第１の下り周波数領域の制御領域において、下り制御チャネルを端末デバイスに送信するように構成され、前記下り制御チャネルには第１の構成情報が含まれ、前記第１の構成情報は、前記端末デバイスが上り制御チャネルに使用する少なくとも１つの第１の上り周波数領域の制御領域を前記ネットワークデバイスに送信するように動的に指示するために用いられる。
【００９５】
受信モジュール９２０は、前記少なくとも１つの第１の上り周波数領域の制御領域の各前記第１の上り周波数領域の制御領域の第１の上り周波数領域スケジューリングユニットにおいて、前記端末デバイスにより送信された上り制御チャネルを受信するように構成され、前記第１の上り周波数領域スケジューリングユニットの前記第１の上り周波数領域の制御領域内の周波数領域位置は、前記第１の下り周波数領域の制御領域に基づいて確定されたものである。
【００９６】
本発明の実施例におけるネットワークデバイス、第１の構成情報で上り周波数領域の制御領域を指示し、下り周波数領域の制御領域の位置に基づいて、上り制御チャネルを伝送するための上り周波数領域スケジューリングユニットの上り周波数領域の制御領域内の位置を確定し、動的なスケジューリングと暗黙指示との組合せ方式を採用して、上り制御チャネルを伝送する周波数領域リソースを確定することで、ＰＵＳＣＨのスケジューリング複雑さを低減させ、シグナリングオーバーヘッドが小さくなり、ネットワークデバイスのスケジューリング複雑さが低くなる。
【００９７】
選択可能で、１つの実施例として、前記下り制御チャネルには第２の構成情報がさらに含まれ、前記第２の構成情報は、少なくとも１つの第１の上り時間領域スケジューリングユニットを示し、前記受信モジュール９２０は、具体的に、前記少なくとも１つの第１の上り時間領域スケジューリングユニットの対応する前記第１の上り周波数領域の制御領域内の前記第１の上り周波数領域スケジューリングユニットにおいて、前記端末デバイスにより送信された前記上り制御チャネルを受信するように構成される。
【００９８】
選択可能で、１つの実施例として、前記送信モジュール９１０は、具体的に、第１の下り時間領域スケジューリングユニットの前記第１の下り周波数領域の制御領域において、前記端末デバイスに下り制御チャネルを送信するように構成され、ここで、前記第２の構成情報は、前記少なくとも１つの第１の上り時間領域スケジューリングユニットの各前記第１の上り周波数領域の制御領域が前記第１の下り時間領域スケジューリングユニットに対するオフセット量の情報を含む。
【００９９】
選択可能で、１つの実施例として、前記第１の上り周波数領域スケジューリングユニットの各前記第１の上り周波数領域の制御領域内の位置は、前記第１の下り周波数領域の制御領域の前記第１の下り時間領域スケジューリングユニット内の周波数領域位置に基づいて確定されたものである。
【０１００】
選択可能で、１つの実施例として、前記第２の構成情報は、Ｎ個の前記第１の上り時間領域スケジューリングユニットを示し、前記第１の構成情報は、Ｎ個の前記第１の上り周波数領域の制御領域を示し、ここで、各前記第１の上り周波数領域の制御領域が１つの前記第１の上り時間領域スケジューリングユニット内に位置し、任意の２つの前記第１の上り周波数領域の制御領域が、異なる前記第１の上り時間領域スケジューリングユニットに位置し、任意の２つの前記第１の上り周波数領域の制御領域の対応する前記第１の上り時間領域スケジューリングユニット内の周波数領域位置は、同じである。
【０１０１】
選択可能で、１つの実施例として、前記送信モジュール９１０は、さらに、前記端末デバイスに第３の構成情報を送信するように構成され、前記第３の構成情報は、前記少なくとも１つの第１の上り周波数領域の制御領域の各前記第１の上り周波数領域の制御領域の前記第１の上り周波数領域スケジューリングユニットの開始周波数領域位置を確定するための情報を示す。
【０１０２】
選択可能で、本発明の実施例において、前記送信モジュール９１０は、具体的に、上位レイヤのシグナリング、前記下り制御チャネル、ブロードキャストチャネル又はシステム情報ブロックＳＩＢで前記端末デバイスに前記第３の構成情報を送信するように構成される。
【０１０３】
選択可能で、１つの実施例として、前記送信モジュール９１０は、さらに、前記端末デバイスに第４の構成情報を送信するように構成され、前記第４の構成情報は、前記端末デバイスが使用する可能な周波数領域範囲を示し、前記少なくとも１つの第１の上り周波数領域の制御領域は、前記周波数領域範囲内の上り周波数領域の制御領域である。
【０１０４】
選択可能で、本発明の実施例において、前記送信モジュール９１０は、具体的に、上位レイヤのシグナリング、前記下り制御チャネル、ブロードキャストチャネル又はシステム情報ブロックＳＩＢで前記端末デバイスに前記第４の構成情報を送信するように構成される。
【０１０５】
なお、本発明の実施例において、送信モジュール９１０及び受信モジュール９２０は、送受信機により実現する。図１０に示すように、ネットワークデバイス１０００は、プロセッサ１０１０、送受信機１０２０及びメモリ１０３０を含む。ここで、メモリ１０３０は、プロセッサ１０１０が実行するコートを記憶して、送受信機１０２０の機能を制御する。
【０１０６】
ネットワークデバイス１０００内の各部品は、内部の接続線路で通信し、データ信号を伝送し制御する。
【０１０７】
図１０に示すネットワークデバイス１０００又は図９に示すネットワークデバイス９００は、上記の方法の実施例の実施例の各過程を実行することができ、重複を回避するために、ここで説明を省略する。
【０１０８】
図１１は本発明の実施例における端末デバイス１１００のブロック図である。図１１に示すように、当該端末デバイス１１００は、受信モジュール１１１０及び送信モジュール１１２０を含む。
【０１０９】
受信モジュール１１１０は、第１の下り周波数領域の制御領域において、ネットワークデバイスにより送信された下り制御チャネルを受信するように構成され、前記下り制御チャネルには第１の構成情報が含まれ、前記第１の構成情報は、前記端末デバイスが上り制御チャネルに使用する少なくとも１つの第１の上り周波数領域の制御領域を前記ネットワークデバイスに送信するように動的に指示するために用いられる。
【０１１０】
送信モジュール１１２０は、前記少なくとも１つの第１の上り周波数領域の制御領域の各前記第１の上り周波数領域の制御領域の第１の上り周波数領域スケジューリングユニットにおいて、前記ネットワークデバイスに上り制御チャネルを送信するように構成され、前記第１の上り周波数領域スケジューリングユニットの前記第１の上り周波数領域の制御領域内の周波数領域位置は、前記第１の下り周波数領域の制御領域に基づいて確定されたものである。
【０１１１】
本発明の実施例における端末デバイスは、第１の構成情報で上り周波数領域の制御領域を指示し、下り周波数領域の制御領域の位置に基づいて、上り制御チャネルを伝送するための上り周波数領域スケジューリングユニットの上り周波数領域の制御領域内の位置を確定し、動的なスケジューリングと暗黙指示との組合せ方式を採用し、上り制御チャネル伝送の周波数領域リソースを確定し、ＰＵＳＣＨのスケジューリング複雑さを低減させ、シグナリングオーバーヘッドが小さくなる。
【０１１２】
選択可能で、１つの実施例として、前記下り制御チャネルには第２の構成情報が含まれ、前記第２の構成情報は、少なくとも１つの第１の上り時間領域スケジューリングユニットを示し、前記送信モジュール１１２０は、具体的に、前記少なくとも１つの第１の上り時間領域スケジューリングユニットの対応する前記第１の上り周波数領域の制御領域内の前記第１の上り周波数領域スケジューリングユニットにおいて、前記ネットワークデバイスに前記上り制御チャネルを送信するように構成される。
【０１１３】
選択可能で、１つの実施例として、前記受信モジュール１１１０は、具体的に、第１の下り時間領域スケジューリングユニットの前記第１の下り周波数領域の制御領域において、前記ネットワークデバイスにより送信された下り制御チャネルを受信するように構成され、ここで、前記第２の構成情報は、前記少なくとも１つの第１の上り時間領域スケジューリングユニットの各前記第１の上り周波数領域の制御領域が前記第１の下り時間領域スケジューリングユニットに対するオフセット量の情報を含む。
【０１１４】
選択可能で、１つの実施例として、前記第１の上り周波数領域スケジューリングユニットの各前記第１の上り周波数領域の制御領域内の位置は、前記第１の下り周波数領域の制御領域の前記第１の下り時間領域スケジューリングユニット内の周波数領域位置に基づいて確定されたものである。
【０１１５】
選択可能で、１つの実施例として、前記第２の構成情報は、Ｎ個の前記第１の上り時間領域スケジューリングユニットを示し、前記第１の構成情報は、Ｎ個の前記第１の上り周波数領域の制御領域を示し、ここで、各前記第１の上り周波数領域の制御領域が１つの前記第１の上り時間領域スケジューリングユニット内に位置し、任意の２つの前記第１の上り周波数領域の制御領域が、異なる前記第１の上り時間領域スケジューリングユニットに位置し、任意の２つの前記第１の上り周波数領域の制御領域の対応する前記第１の上り時間領域スケジューリングユニット内の周波数領域位置は、同じである。
【０１１６】
選択可能で、１つの実施例として、前記受信モジュール１１１０は、さらに、前記ネットワークデバイスにより送信された第３の構成情報を受信するように構成され、前記第３の構成情報は、前記少なくとも１つの第１の上り周波数領域の制御領域の各前記第１の上り周波数領域の制御領域の前記第１の上り周波数領域スケジューリングユニットの開始周波数領域位置を確定するための情報を示す。
【０１１７】
選択可能で、本発明の実施例において、前記受信モジュール１１１０は、具体的に、上位レイヤのシグナリング、前記下り制御チャネル、ブロードキャストチャネル又はシステム情報ブロックＳＩＢで前記ネットワークデバイスにより送信された前記第３の構成情報を受信するように構成される。
【０１１８】
選択可能で、１つの実施例として、前記受信モジュール１１１０は、さらに、前記ネットワークデバイスにより送信された第４の構成情報を受信するように構成され、前記第４の構成情報は、前記端末デバイスが使用する可能な周波数領域範囲を示し、前記少なくとも１つの第１の上り周波数領域の制御領域は、前記周波数領域範囲内の上り周波数領域の制御領域である。
【０１１９】
選択可能で、本発明の実施例において、前記受信モジュール１１１０は、具体的に、上位レイヤのシグナリング、前記下り制御チャネル、ブロードキャストチャネル又はシステム情報ブロックＳＩＢで前記ネットワークデバイスにより送信された前記第４の構成情報を受信するように構成される。
【０１２０】
なお、本発明の実施例において、受信モジュール１１１０及び送信モジュール１１２０は、送受信機により実現する。図１２に示すように、端末デバイス１２００は、プロセッサ１２１０、送受信機１２２０及びメモリ１２３０を含む。ここで、メモリ１２３０は、プロセッサ１２１０が実行するコードを記憶して、送受信機１２２０の機能を制御する。
【０１２１】
端末デバイス１２００内の各部品は、内部の接続線路で通信し、データ信号を伝送し制御する。
【０１２２】
図１２に示す端末デバイス１２００又は図１１に示す端末デバイス１１００は、上記の方法の実施例の実施例の各過程を実行することができ、重複を回避するために、ここで説明を省略する。
【０１２３】
なお、本発明の実施例におけるプロセッサは集積回路チップであってもよく、信号処理能力を備えている。実現過程において、上記方法の実施例における各ステップは、プロセッサにおけるハードウェアの集積論理回路、又はソフトウェア形態の命令により完成されてもよい。上記のプロセッサは汎用プロセッサ、デジタル信号プロセッサ（ＤＳＰ：Ｄｉｇｉｔａｌ  Ｓｉｇｎａｌ  Ｐｒｏｃｅｓｓｏｒ）、専用集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、現場でプログラマブルゲートアレイ（ＦＰＧＡ：Ｆｉｅｌｄ  Ｐｒｏｇｒａｍｍａｂｌｅ  Ｇａｔｅ  Ａｒｒａｙ）、又は他のプログラマブルロジックデバイス、ディスクリートゲート又はトランジスタ論理デバイス、ディスクリートハードウェアコンポーネントであってもよい。本発明の実施例における開示された各方法、ステップ及び論理ブロック図を実現、又は実行することができる。汎用プロセッサはマイクロプロセッサであってもよく、又は該プロセッサはいずれかの通常のプロセッサなどであってもよい。本発明の実施例に開示された方法を結合するステップは、ハードウェア復号プロセッサによって実行して完成され、又は復号プロセッサにおけるハードウェアモジュール及びソフトウェアモジュールの組み合わせによって実行して完成されるように具現することができる。ソフトウェアモジュールは、ランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒質はメモリに位置し、プロセッサはメモリにおける情報を読み取り、そのハードウェアと組み合わせて上記方法のステップを完成する。
【０１２４】
なお、本発明の実施例におけるメモリは揮発性記憶装置又は不揮発性記憶装置であってもよく、又は揮発性記憶装置及び不揮発性記憶装置の両者を含むことができることが理解できる。ここで、不揮発性記憶装置は読み取り専用メモリ（ＲＯＭ：Ｒｅａｄ−Ｏｎｌｙ  Ｍｅｍｏｒｙ）、プログラマブル読み取り専用メモリ（ＰＲＯＭ：Ｐｒｏｇｒａｍｍａｂｌｅ  ＲＯＭ）、消去可能プログラマブル読み取り専用メモリ（ＥＰＲＯＭ：Ｅｒａｓａｂｌｅ  ＰＲＯＭ）、電気的消去可能プログラマブル読み取り専用メモリ（ＥＥＰＲＯＭ：Ｅｌｅｃｔｒｉｃａｌｌｙ  ＥＰＲＯＭ）又はフラッシュメモリであってもよい。揮発性記憶装置は外部キャッシュメモリとして機能するランダムアクセスメモリ（ＲＡＭ：Ｒａｎｄｏｍ  Ａｃｃｅｓｓ  Ｍｅｍｏｒｙ）であってもよい。制限的でなく例示的な説明により、多くの形態のＲＡＭは利用可能であり、例えばスタティックランダムアクセスメモリ（ＳＲＡＭ：Ｓｔａｔｉｃ  ＲＡＭ）、動的ランダムアクセスメモリ（ＤＲＡＭ：Ｄｙｎａｍｉｃ  ＲＡＭ）、同期動的ランダムアクセスメモリ（ＳＤＲＡＭ：Ｓｙｎｃｈｒｏｎｏｕｓ  ＤＲＡＭ）、ダブルデータレート同期動的ランダムアクセスメモリ（ＤＤＲＳＤＲＡＭ：Ｄｏｕｂｌｅ  Ｄａｔａ  Ｒａｔｅ  ＳＤＲＡＭ）、強化型同期動的ランダムアクセスメモリ（ＥＳＤＲＡＭ：Ｅｎｈａｎｃｅｄ  ＳＤＲＡＭ）、同期リンク動的ランダムアクセスメモリ（ＳＬＤＲＡＭ：Ｓｙｎｃｈｌｉｎｋ  ＤＲＡＭ）とダイレクトラムバスランダムアクセスメモリ（ＤＲ  ＲＡＭ：Ｄｉｒｅｃｔ  Ｒａｍｂｕｓ  ＲＡＭ）である。注意すべきこととして、本明細書に記載のシステムと方法のメモリは、これら、及びいずれかのその他の適切なタイプのメモリを含むことを主旨しているが、これらに限定されない。
【０１２５】
なお、ここに記載される「第１」、「第２」、「第３」、「第４」及び各種の数字番号は区別するためのもであり、本発明の実施例の範囲を限定しない。
【０１２６】
なお、本発明の実施例において、「Ａに対応するＢ」は、ＢがＡに関連し、ＡによってＢを確定することを示す。ただし、ＡによってＢを確定することは、ＡのみによってＢを確定することを意味しなく、Ａ及び／又は他の情報によってＢを確定してもよい。
【０１２７】
また、本明細書に記載される「システム」及び「ネットワーク」という単語は交換可能に使用される。本明細書に記載される「及び／又は」、関連対象の関連関係を説明するものだけであり、以下の３つの関係を示す。例えば、Ａ及び／又はＢは、Ａが単独存在すること、ＡとＢが同時に存在すること、及びＢが単独存在することそれぞれ示す。また、本明細書に記載される「／」は、通常に、前後の関連対象の「又は」の関係を示す。
【０１２８】
本願に開示されている実施例に説明されている各例示的なユニット及びアルゴリズムのステップは、電子ハードウェア、又はコンピュータソフトウェアと電子ハードウェアの結合を用いて実現することができると、当業者であれば理解できる。これらの機能がハードウェアの形式かそれともソフトウェアの形式で実施するかについては、技術案の特定応用と設計制約によるものである。当業者は、各特定応用に応じて異なる方法を用いて、説明されている機能を実現することができるが、このような実現は本発明の範囲を超えていると見なすべきではない。
【０１２９】
当業者は、説明の便利と簡潔上、上記に記載されているシステム、装置及びユニットの具体的な動作については、上記の方法実施例の対応されているフローを参照することができ、ここで説明を省略する。
【０１３０】
本願に提供されている幾つかの実施例において、開示されているシステム、装置及び方法は、そのその他の方式で実現されても良い。例えば、上記に記載されている装置の実施例は単なる例示的なものに過ぎず、例えば、前記ユニットの分け方が、単なるロジック的な機能分けであり、実際、実現する時に他の分け方があっても良く、例えば、複数のユニット又はコンポーネントを別のシステムへ統合、又は集成しても良く、又は幾つかの技術特徴を省略、又は実施しなくても良い。一方、明示され、又は議論されている各構成部分の互い的なカップリング、又は直接のカップリング、又は通信接続は、幾つかのインターフェース、装置、又はユニットの間接のカップリング又は通信によって接続されても良く、電気的、機械的、又はそのその他の形式であっても良い。
【０１３１】
上記で分離コンポーネントとして説明したユニットは、物理的に分離されるものであっても良く、そうではないものであっても良い。ユニットとして示されるコンポーネントは物理ユニットであっても良く、そうではないものであっても良い。一箇所に配置されても良く、複数のネットワークユニットに配布しても良い。実際のニーズに応じて、その中の一部又は全部のユニットを選択して本実施例の技術案の目的を実現しても良い。
【０１３２】
また、本発明の各実施例における各機能ユニットは、一つの処理ユニットに統合しても良く、各ユニットはそれぞれ単独なユニットとしても良く、二つ又は二つ以上のユニットを一つのユニットに統合しても良い。
【０１３３】
前記機能は、ソフトウェア機能ユニットの方式で実現し、しかも独立な製品として販売又は使用する場合、コンピュータ読み取り可能の記憶媒体に記憶しても良い。これによって、本発明の技術案が事実上、言い換えれば先行技術に貢献した部分がソフトウェア製品の形で具現でき、該コンピュータソフトウェア製品は記憶媒体に記憶され、コンピュータ装置（パソコン、サーバ、またはネットワーク装置などであっても良い）に本発明の各実施例の全部または一部の前記方法を実行させための複数の命令を含む。上記の記憶媒体は、ＵＳＢメモリ、移動記憶媒体、読み取り専用メモリ（ＲＯＭ：Ｒｅａｄ−Ｏｎｌｙ  Ｍｅｍｏｒｙ）、ランダムアクセス記憶装置（ＲＡＭ：Ｒａｎｄｏｍ  Ａｃｃｅｓｓ  Ｍｅｍｏｒｙ）、磁気ディスク又はコンパクトディスクなどの各種のプログラムコードが記憶できる媒体を含む。
【０１３４】
上記に記載されているのは、単なる本発明の具体的な実施形態に過ぎず、本発明はそれに限らず、当業者が本発明に開示されている範囲内において、容易に想到し得る変形又は入れ替えは、全て本発明の範囲内に含まれるべきである。そのため、本発明の範囲は、記載されている特許請求の範囲に準じるべきである。
【図１】
0006931062.tif 000002
【図２】
0006931062.tif 000003
【図３】
0006931062.tif 000004
【図４】
0006931062.tif 000005
【図５】
0006931062.tif 000006
【図６】
0006931062.tif 000007
【図７】
0006931062.tif 000008
【図８】
0006931062.tif 000009
【図９】
0006931062.tif 000010
【図１０】
0006931062.tif 000011
【図１１】
0006931062.tif 000012
【図１２】
0006931062.tif 000013